(57)【要約】【課題】  荷電粒子顕微鏡においては、検出系特性の違いなどにより、複数の検出光学系もしくは複数の装置間における出力信号の差分が、入力信号の大きさによって異なるという課題を有する。特に、撮像対象から得られる信号波形情報を利用して撮像対象の寸法を計測する計測装置においては、このような信号量の装置間差が寸法計測結果の装置間差につながるため問題となる。【解決手段】  荷電粒子線を被検査対象物に照射する照射部と、前記照射部により照射された該被検査対象物からの荷電粒子信号を検出する検出器を備える検出部と、を有する荷電粒子顕微鏡と、前記電子顕微鏡の検出器で検出された該荷電粒子信号を画像信号に変換する信号処理部と、信号変換特性を用いて前記信号処理部にて変換された画像信号を補正する演算処理部と、備える荷電粒子顕微鏡システムである。【選択図】  図１
2014060087.tif 000002
【特許請求の範囲】
【請求項１】
荷電粒子線を被検査対象物に照射する照射部と、前記照射部により照射された該被検査対象物からの荷電粒子信号を検出する検出器を備える検出部と、を有する荷電粒子顕微鏡と、
前記荷電粒子顕微鏡の検出器で検出された該荷電粒子信号を画像信号に変換する信号処理部と、
信号変換特性を用いて前記信号処理部にて変換された画像信号を補正する演算処理部と、を備える荷電粒子顕微鏡システム。
【請求項２】
請求項１記載の荷電粒子顕微鏡システムであって、
該信号変換特性は、前記信号処理部に入力される荷電粒子信号と前記信号処理部から出力される画像信号との関係であることを特徴とする荷電粒子顕微鏡システム。
【請求項３】
請求項１または２に記載の荷電粒子顕微鏡システムであって、
前記演算処理部では、予め求めた荷電粒子信号である入力信号と画像信号である出力信号との関係を用いて前記信号処理部にて変換された画像信号を補正することを特徴とする荷電粒子顕微鏡システム。
【請求項４】
請求項３記載の荷電粒子顕微鏡システムであって、
前記検出部が複数個の検出器を備える場合には、前記複数個の検出器のそれぞれが予め定めた入力信号と出力信号との関係を有することを特徴とする荷電粒子顕微鏡システム。
【請求項５】
請求項１乃至４のいずれかに記載の荷電粒子顕微鏡システムであって、
前記演算処理部では、複数の撮像条件である第一の撮像条件にて撮像して得た複数の画像データのそれぞれを処理して複数の入力信号を得、該第一の撮像条件とは異なる第二の撮像条件にて撮像して得た複数の画像データのそれぞれを処理して出力信号を得ることにより、信号変換特性を取得することを特徴とする荷電粒子顕微鏡システム。
【請求項６】
請求項１乃至５のいずれかに記載の荷電粒子顕微鏡システムであって、
該複数の撮像条件は、
該被検査対象物に照射する荷電粒子線の電流量、該被検査対象物の材料または該被検査対象物の傾斜の少なくとも一つを含むことを特徴とする荷電粒子顕微鏡システム。
【請求項７】
請求項１乃至６のいずれかに記載の荷電粒子顕微鏡システムであって、
さらに、前記演算処理部にて算出した該信号変換特性を表示する表示部を備えることを特徴とする荷電粒子顕微鏡システム。
【請求項８】
請求項１乃至７のいずれかに記載の荷電粒子顕微鏡システムであって、
前記演算処理部では、該信号変換特性を用いて前記信号処理部により出力された出力信号を前記検出器により検出された信号の大きさに変換することを特徴とする荷電粒子顕微鏡システム。
【請求項９】
請求項１乃至８のいずれかに記載の荷電粒子顕微鏡システムであって、
さらに、該信号変換特性を記憶する記憶部を備えることを特徴とする荷電粒子顕微鏡システム。
【請求項１０】
荷電粒子線を被検査対象物に照射する照射工程と、前記照射工程により照射された該被検査対象物からの荷電粒子信号を検出器にて検出する検出工程と、を備える荷電粒子顕微鏡の計測工程と、
前記検出工程にて検出された該荷電粒子信号を画像信号に変換する信号処理工程と、
信号変換特性を用いて前記信号処理工程にて変換された画像信号を補正する演算処理工程と、を備える荷電粒子顕微鏡システムを用いた計測方法。
【請求項１１】
請求項１０記載の荷電粒子顕微鏡システムを用いた計測方法であって、
該信号変換特性は、前記検出工程にて検出される荷電粒子信号と前記信号処理工程にて出力される画像信号との関係であることを特徴とする荷電粒子顕微鏡システムを用いた計測方法。
【請求項１２】
請求項１０または１１に記載の荷電粒子顕微鏡システムを用いた計測方法であって、
前記演算処理工程では、予め求めた荷電粒子信号である入力信号と画像信号である出力信号との関係を用いて前記信号処理工程にて変換された画像信号を補正することを特徴とする荷電粒子顕微鏡システムを用いた計測方法。
【請求項１３】
請求項１２記載の荷電粒子顕微鏡システムを用いた計測方法であって、
前記検出工程にて複数個の検出器により荷電粒子信号を検出する場合には、前記複数個の検出器のそれぞれが予め定めた入力信号と出力信号との関係を有することを特徴とする荷電粒子顕微鏡システムを用いた計測方法。
【請求項１４】
請求項１０乃至１３のいずれかに記載の荷電粒子顕微鏡システムを用いた計測方法であって、
前記演算処理工程では、複数の撮像条件にて撮像して得た複数の画像データのそれぞれを処理して複数の入力信号を得、該複数の撮像条件にて撮像して得た複数の画像データのそれぞれを処理して出力信号を得ることにより、信号変換特性を取得することを特徴とする荷電粒子顕微鏡システムを用いた計測方法。
【請求項１５】
請求項１０乃至１４のいずれかに記載の荷電粒子顕微鏡システムを用いた計測方法であって、
該複数の撮像条件は、該被検査対象物に照射する荷電粒子線の電流量、該被検査対象物の材料または該被検査対象物の傾斜の少なくとも一つを含むことを特徴とする荷電粒子顕微鏡システムを用いた計測方法。
【請求項１６】
請求項１０乃至１５のいずれかに記載の荷電粒子顕微鏡システムを用いた計測方法であって、
さらに、前記演算処理工程にて算出した該信号変換特性を表示する表示工程を備えることを特徴とする荷電粒子顕微鏡システムを用いた計測方法。
【請求項１７】
請求項１０乃至１６のいずれかに記載の荷電粒子顕微鏡システムを用いた計測方法であって、
前記演算処理工程では、該信号変換特性を用いて前記信号処理工程により出力された出力信号を前記検出工程にて検出された信号の大きさに変換することを特徴とする荷電粒子顕微鏡システムを用いた計測方法。
【請求項１８】
請求項１０乃至１７のいずれかに記載の荷電粒子顕微鏡システムを用いた計測方法であって、
さらに、該信号変換特性を記憶する記憶工程を備えることを特徴とする荷電粒子顕微鏡システムを用いた計測方法。
【発明の詳細な説明】
【技術分野】
【０００１】
本発明は、荷電粒子顕微鏡システムおよびそれを用いた計測方法に関する。
【背景技術】
【０００２】
本技術分野の背景技術として、特開２０００−６７７９７号公報（特許文献１）がある。この公報には、「1種類の入力信号に対して、複数の検出光学系により得られる画像の質を定量的に評価し、その結果を用いて、各々の検出光学系の検査感度が同等となるように、検査時の画像処理パラメタを調整する」と記載されている。
【先行技術文献】
【特許文献】
【０００３】
【特許文献１】特開２０００−６７７９７号公報
【発明の概要】
【発明が解決しようとする課題】
【０００４】
特許文献１には、1種類の入力信号に対して複数の検出光学系により得られる画像の質を定量的に評価し、その結果を用いて、各々の検出光学系の検査感度が同等となるように、検査時の画像処理パラメタを調整する技術が開示されている。しかし、特許文献１には、一定の範囲の入力信号に対する出力信号の関係を、複数の検出光学系の間で定量的に評価することは開示されていない。
【０００５】
特許文献１は、検査装置に関する技術に関するため、特定の１つの入力信号に対する出力信号の評価が有効であったと考えられるが、荷電粒子顕微鏡の撮像対象から得られる信号波形情報を利用して、撮像対象の寸法を計測する計測装置を対象とする場合、一定の範囲の入力信号に対する出力信号の関係が装置間で同等となっていることが重要となる。
【０００６】
また、複数の検出光学系もしくは複数の装置間において、入力信号の大きさによらず、出力信号の大きさが各々一定の差分を有する関係にあるならば、特許文献１の方式は有効である。しかしながら、実際には、複数の検出光学系もしくは複数の装置間における出力信号の差分は、入力信号の大きさによって異なる。
【課題を解決するための手段】
【０００７】
上記課題を解決するために、例えば特許請求の範囲に記載の構成を採用する。
本願は上記課題を解決する手段を複数含んでいるが、その一例を挙げるならば、荷電粒子線を被検査対象物に照射する照射部と、前記照射部により照射された該被検査対象物からの荷電粒子信号を検出する検出器を備える検出部と、を有する荷電粒子顕微鏡と、前記荷電粒子顕微鏡の検出器で検出された該荷電粒子信号を画像信号に変換する信号処理部と、信号変換特性を用いて前記信号処理部にて変換された画像信号を補正する演算処理部と、を備える荷電粒子顕微鏡システムである。
【発明の効果】
【０００８】
本発明によれば、信号量の装置間差を補正する機能を備える荷電粒子顕微鏡およびそれを用いた計測方法を提供することができる。
【０００９】
上記した以外の課題、構成および効果は、以下の実施形態の説明により明らかにされる。
【図面の簡単な説明】
【００１０】
【図１】本発明に係る走査型電子顕微鏡システムの構成図の例である。
【図２】本発明に係る走査型電子顕微鏡システムによる信号変換特性の例である。
【図３】走査型電子顕微鏡システムによる信号変換特性の装置間差の例である。
【図４】走査型電子顕微鏡システムによる出力波形の装置間差の例である。
【図５】本発明に係る信号変換特性を算出するためのデータ取得処理を説明するフローチャートの例である。
【図６】信号が飽和しない画像取得条件の決定処理を説明するフローチャートの例である。
【図７】信号が飽和しない画像取得条件を決定するためのデータの例である。
【図８】本発明に係る寸法計測用画像の信号変換処理を説明するフローチャートの例である。
【図９】実験的に取得した走査型電子顕微鏡システムによる信号変換特性の例である。
【図１０】画像信号に対応する入力信号のテーブルの例である。
【図１１】本発明に係る信号変換特性を算出するためのデータ取得を実行させるためのＧＵＩの例である。
【図１２】本発明に係る走査型電子顕微鏡システムによる信号変換特性評価結果と信号変換テーブルを表示するＧＵＩの例である。
【図１３】本発明に係る信号変換特性を算出するためのデータ取得処理を説明するフローチャートの例である。
【図１４】本発明に係る信号変換特性を算出するためのデータ取得処理を説明するフローチャートの例である。
【図１５】本発明に係る信号変換特性を算出するためのデータ取得処理を説明するフローチャートの例である。
【図１６】本発明に係る信号変換特性を算出するためのデータ取得処理を説明するフローチャートの例である。
【図１７】本発明に係る寸法計測用画像の信号変換処理を説明するフローチャートの例である。
【図１８】本発明に係る走査型電子顕微鏡システムによる信号変換特性の経時変化評価結果と信号変換テーブルの経時変化を表示するＧＵＩの例である。
【図１９】本発明に係る信号変換特性の装置間差を算出するためのデータ取得処理を説明するフローチャートの例である。
【図２０】本発明に係る寸法計測用画像の信号変換処理を説明するフローチャートの例である。
【図２１】実験的に取得した走査型電子顕微鏡システムによる信号変換特性の装置間差の例である。
【図２２】本発明に係る評価装置の画像信号に対応する基準装置の画像信号のテーブルの例である。
【図２３】本発明に係る走査型電子顕微鏡システムによる信号変換特性の装置間差評価結果と信号変換テーブルを表示するＧＵＩの例である。
【発明を実施するための形態】
【００１１】
以下、実施例を図面を用いて説明する。
【実施例１】
【００１２】
本実施例では、基準とする一定の範囲の信号処理部における入力信号に対する出力信号の非線形性を補正する、寸法計測用途の走査型電子顕微鏡システムの例を説明する。
【００１３】
図１は、本実施例の走査型電子顕微鏡システムの構成図の例である。
本実施例による走査電子顕微鏡システムは、走査電子顕微鏡本体１０と信号処理部１１、全体制御部１２、ＰＣ１３とを備えて構成され、ネットワークを介してデータサーバ１４と繋がっている。
【００１４】
走査電子顕微鏡本体１０は、電子銃１０１、電子銃１０１から発射された電子線１０２を加速する加速電極１０３、集束レンズ１０４、電子線１０２の軌道を偏向させる偏向電極１０５、電子線１０２の収束する焦点位置をパターンが形成された試料１０７の表面に位置するように電子線１０２の焦点位置を制御する対物レンズ１０６、試料１０７を載置するテーブル１０８、電子線１０２が照射された試料１０７から発生した２次電子の一部を検出する検出器１０９とを備えて構成され、全体制御部１２により制御されている。
【００１５】
検出器１０９で検出された信号は、全体制御部１２からの指示に従い信号処理部１１で画像データに変換される。
【００１６】
ＰＣ１３は、記憶部１３１、演算処理部１３２、表示画面を備えた入出力部１３３を備えている。
ＰＣ１３内の演算処理部１３２は、信号処理部１１にて変換された画像データを処理し、入力信号と出力信号の関係に関連する情報である信号変換特性を抽出し、記憶部１３１において抽出した結果である信号変換特性を記憶し、表示画面に表示する。ここで、入力信号とは、検出器１０９にて検出される信号のことであり、出力信号とは、信号処理部１１にて処理されて出力される信号のことを指す。表示部に表示される結果は通信回線を介して複数の装置からアクセス可能なデータサーバ１４へ送られ、データサーバ１４において記憶される。
【００１７】
さらに、撮像により別の画像が得られた場合には、ＰＣ１３内の記憶部１３１もしくはデータサーバ１４に記憶された入力信号と出力信号の関係に関連する情報を読み込み、この情報に基づき演算処理部１３２において得られた該別の画像データを補正処理したのち、撮像対象の寸法計測を行い、処理後の画像データおよび寸法計測結果および寸法計測に関連する情報を記憶部１３１に記憶し、表示画面に表示することができる。
【００１８】
図２は、図１に示した走査型電子顕微鏡システムによる、一定の範囲の入力信号２０１と出力信号２０２の関係（以下信号変換特性と表記する）２０３の例２０である。走査電子顕微鏡本体１０の検出器１０９で検出された二次電子による信号は、検出器１０９の内部および信号処理部１１において、増幅およびバイアス加算されたのち、ＰＣ１３に対して画像として出力される。
【００１９】
出力画像（出力信号に対応）の信号コントラストが大きい方が見た目によいことや、検出器１０９の内部で信号を増幅した後に発生する雑音信号の影響を相対的に抑えることを理由に、一般的には出力信号が画像階調値の上下限を超えない程度に、増幅率を上げて信号を取得する。一方、走査電子顕微鏡本体１０の検出器１０９で得られた二次電子信号（入力信号に対応）は、信号の大きさに対するノイズの大きさの割合が大きいため、信号の増幅率を上げていくと、ノイズ成分が画像階調値の上下限値を超えて飽和してしまう。主にこのノイズ成分の飽和により出力信号が低下し、その結果、入力信号２０１と出力信号２０２の関係２０３が非線形となる。
【００２０】
図３は、走査型電子顕微鏡システムによる信号変換特性の装置間差の例であるが、この非線形性は、雑音信号の大きさなどによっても変化するため、図３に示すように、複数の装置間で非線形性の傾向が異なる可能性がある。信号変換特性は、図２に示すとおり、入力信号２０１と出力信号２０２との関係で示され、装置Ａによる信号変換特性２０３Ａと装置Ｂによる信号変換特性２０３Ｂとは異なることが分かる。
【００２１】
また、図４は、走査型電子顕微鏡システムによる出力波形の装置間差の例であるが、図４に示すように、同じ計測対象を撮像して得られる寸法計測方向の座標４０１に対する出力信号波形４０２Ａおよび４０２Ｂは装置間で異なり、各信号波形から算出された寸法計測結果に差異が生じることが分かる。本実施例では、入力信号に対する出力信号の非線形性を示す信号変換特性を考慮した補正を各装置で行うことにより、装置間での信号変換特性の違いを低減することができる。
【００２２】
図５は、図1に示した走査型電子顕微鏡システムによる、信号変換特性２０を算出するためのデータ取得フローである。図５に示す信号変換特性２０の算出は、図１に示す演算処理部を含むＰＣ１３にて行われる。
【００２３】
はじめに、基準とする一定の範囲の入力信号２０１を取得する際の、画像取得条件を決定する（Ｓ５０１）。これは、走査型電子顕微鏡本体１０で入力信号２０１の絶対値（本実施例の場合は検出器１０９で検出される二次電子の数）を計測することが困難である場合を想定し、代わりに、線形性がより保たれる条件である、信号が飽和しない画像取得条件で取得した出力信号を、入力信号２０１として採用するために必要なステップである。信号が飽和しない画像取得条件の決定フローの詳細については、後で図６を用いて説明する。信号が飽和しない画像取得条件とは、主に寸法計測用の画像取得時と比べて、信号の増幅率が小さい条件となる。
【００２４】
入力信号２０１取得時の画像取得条件が決まったら、入力信号２０１および出力信号２０２の取得に用いるサンプルウエハを、走査型電子顕微鏡本体１０のテーブル１０８にロードする（Ｓ５０２）。本実施例では、ウエハ上にパターンや結晶模様などが存在しない、シリコンなどのベタ膜サンプルを用いる。
【００２５】
次に、画像取得条件のひとつである電子線１０２の電流量を、i番目の値に設定する（Ｓ５０３）。図２に示した信号変換特性２０を得るためには、複数の入力信号２０１と、これに対応する出力信号２０２を取得する必要がある。本実施例では、入力信号２０１の大きさを変更する手段として、電子線１０２の電流量を変えて信号を取得する。寸法計測対象から得られる入力信号を包含する範囲の入力信号２０１が得られるように、電子線１０２の電流量を変化させることができると望ましい。
【００２６】
次に、電子線１０２の電流量以外の入力信号２０１取得時の画像取得条件を設定する（Ｓ５０４）。
【００２７】
次に、画像を取得する（Ｓ５０５）。
【００２８】
次に、得られた複数ピクセルの画像信号の平均値を算出し、入力信号Ｂ（ｉ）２０１とする（Ｓ５０６）。
【００２９】
次に、得られた入力信号Ｂ（ｉ）２０１を、記憶部１３１で記憶する（Ｓ５０７）。
【００３０】
次に、電子線１０２の電流量以外の、ｊ番目の出力信号２０２取得時の画像取得条件を設定する（Ｓ５０８）。出力信号２０２取得時の画像取得条件は、寸法計測用の画像を取得する際の画像取得条件と同じにする。複数の画像取得条件で寸法計測用の画像を取得する場合には、条件ごとに出力信号２０２を取得する。
【００３１】
次に、画像を取得する（Ｓ５０９）。
【００３２】
次に、得られた複数ピクセルの画像信号の平均値を算出し、出力信号Ｓ（ｉ、ｊ）２０２とする（Ｓ５１０）。
【００３３】
次に、得られた出力信号Ｓ（ｉ、ｊ）２０２を、記憶部１３１で記憶する（Ｓ５１１）。
【００３４】
出力信号２０２取得時の画像取得条件の番号ｊが最後になるまで、Ｓ５０８からＳ５１１を繰り返す（Ｓ５１２）。
【００３５】
また、電子線１０２の電流量の番号iが最後になるまで、Ｓ５０３からＳ５１２を繰り返す（Ｓ５１３）。
【００３６】
以上のステップにより、電子線１０２の電流量iにおける、入力信号Ｂ（ｉ）２０１と出力信号Ｓ（ｉ、ｊ）２０２のデータ取得が終了する。
【００３７】
図６は、図５のＳ５０１で説明した、信号が飽和しない画像取得条件の決定フローである。
【００３８】
はじめに、入力信号２０１取得時の撮像条件を設定する（Ｓ６０１）。
【００３９】
次に、走査電子顕微鏡本体１０においてサンプルからの信号を検出しない設定にした状態で、画像取得条件のうちの、信号増幅率（ｇ）およびバイアス加算量（ｂ）を変化させて画像を取得し（Ｓ６０２）、取得した画像信号の平均値を算出する（Ｓ６０３）。結果をＳ０（ｇ、ｂ）とする。この時の信号量Ｓ０（ｇ、ｂ）は、検出器１０９で検出される信号がゼロとなるため、理想的には次の（数１）のようにあらわされる。
【００４０】
（数１）
Ｓ０（ｇ、ｂ）＝ｇ×０＋ｂ 
次に、信号変換特性２０を算出するためのデータ取得に用いるサンプルウエハを、走査型電子顕微鏡本体１０のテーブル１０８にロードする（Ｓ６０４）。
【００４１】
次に、先ほどのＳ６０２と同じ信号増幅率（ｇ）およびバイアス加算量（ｂ）の条件で画像を取得し（Ｓ６０５）、取得した画像信号の平均値を算出する（Ｓ６０６）。結果をＳ（ｇ、ｂ）とする。この時の信号量Ｓ（ｇ、ｂ）は、検出器１０９で検出される信号をｓとすると、理想的には次の（数２）のようにあらわされる。
（数２）
Ｓ（ｇ、ｂ）＝ｇ×ｓ＋ｂ  
次に、信号増幅率（ｇ）およびバイアス加算量（ｂ）を変化させて取得した、サンプルウエハの信号Ｓ（ｇ、ｂ）とサンプルからの信号を検出しない場合の信号Ｓ０（ｇ、ｂ）の差分を算出する（Ｓ６０７）。結果をｄＳ（ｇ、ｂ）とする。この時の信号量の差分ｄＳ（ｇ、ｂ）は、（数１）および（数２）より、理想的には次の（数３）のようにあらわされる。
（数３）
ｄＳ（ｇ、ｂ）＝ｇ×ｓ  
つまり、理想的には、信号量の差分ｄＳ（ｇ、ｂ）はバイアス加算量（ｂ）に依存せず一定の値となる。しかしながら、実際には、サンプルウエハの信号Ｓ（ｇ、ｂ）は信号増幅率（ｇ）およびバイアス加算量（ｂ）の条件により飽和するため、図７に示した例のように、信号量の差分ｄＳ（ｇ、ｂ）７０１はバイアス加算量（ｂ）７０２の変化に伴い、変化してしまう。尚、図７は、信号が飽和しない画像取得条件を決定するためのデータの例である。
【００４２】
この特性を踏まえ、バイアス加算量（ｂ）７０２が変化しても信号量の差分ｄＳ（ｇ、ｂ）７０１の変化が小さい間は、信号が飽和していないとして、この条件を満たすような、信号増幅率（ｇ）７０３およびバイアス加算量（ｂ）７０２の条件を、自動的に決定する（Ｓ６０８）。
【００４３】
以上のステップにより、信号が飽和しない画像取得条件を決定する。
【００４４】
図８は、図５の信号変換特性２０を算出するためのデータ取得フローで取得したデータを用いた、寸法計測用画像の信号変換フローである。
【００４５】
はじめに、寸法計測用画像取得時の画像取得条件を読み込む（Ｓ８０１）。
【００４６】
次に、信号変換特性２０を算出するためのデータ取得フロー（図５）で取得した、入力信号Ｂ（ｉ）２０１および、出力信号Ｓ（ｉ、ｊ）２０２のうち対象となる画像取得条件（ｊ＝Ｊ）で取得した結果を読み込む（Ｓ８０２）。図９は、入力信号Ｂ（ｉ）２０１と出力信号Ｓ（ｉ、Ｊ）２０２の関係９０１を図示したものである。
【００４７】
次に、入力信号Ｂ（ｉ）２０１と出力信号Ｓ（ｉ、Ｊ）２０２の関係９０１を、関数Ｂ＝ｆ（Ｓ）で近似する（Ｓ８０３）。近似に用いる関数の例として、シグモイド関数や２次関数がある。図９に、近似関数９０２を合わせて示す。近似した関数を、信号変換特性２０として採用する。
【００４８】
次に、算出した近似関数Ｂ＝ｆ（Ｓ）９０２から、各画像信号Ｓにおける入力信号Ｂ２０１を算出し、図１０に示すテーブルデータ１００を作成する（Ｓ８０４）。
【００４９】
次に、寸法計測用の画像信号Ｓを、作成したテーブルデータ１００に従い、入力信号Ｂ２０１に変換する（Ｓ８０５）。
【００５０】
以上のステップにより、寸法計測用画像の信号を変換する。この変換により、寸法計測用の画像信号は、入力信号２０１に対する出力信号２０２の非線形性２０３が補正された信号となる。
【００５１】
図１１は、信号変換特性２０を算出するためのデータ取得に必要なＧＵＩの例１１０である。出力信号２０１を取得する画像取得条件を選択するための画像取得条件選択の表示１１０１や、データ取得を実行させるためのデータ取得実行ボタン１１０２を備える。
尚、ＧＵＩ１１０は、入出力部１３３の出力画面に表示され、ユーザが任意の画像取得条件を選択したり、データ取得実行を決定したりすることができる。
【００５２】
図１２は、信号変換特性２０の算出結果を表示するＧＵＩの例１２０である。結果を表示する信号変換特性データを選択する信号変換特性データ選択ボタン１２０１や、取得した入力信号２０１と出力信号２０２の関係９０１や、これを関数近似した結果９０２を表示する表示部１２０２、図１０に示したテーブルデータ１００の表示部１２０３などを備える。
【００５３】
補正後の寸法計測対象の画像信号の装置間差は補正前と比べて小さくなり、その結果、これらの画像信号を用いて寸法計測を行った結果も、装置間差が小さくなる。また、一台の装置に複数の検出器１０９がある場合には、検出器１０９ごとに図５による信号変換特性２０を算出するためのデータ取得を行い、検出器１０９ごとに図８による寸法計測用画像の信号変換を行うことで、検出器１０９間の画像信号の差、および寸法計測結果の差を小さくすることができる。
【００５４】
本実施例に示した走査型電子顕微鏡システムによれば、寸法計測結果の装置間差が小さくなるだけでなく、入力信号２０１に対する出力信号２０２の非線形性２０３も補正されるため、たとえば、信号波形を、シミュレーション波形のライブラリデータに直接マッチングさせて、計測対象の形状を計測する、ライブラリマッチング法による寸法計測精度の向上も見込まれる。
尚、ＧＵＩ１２０は、入出力部１３３の出力画面に表示され、ユーザが任意の信号変換特性データを選択したり、信号変換特性や信号補正ＬＵＴを確認することができる。
【実施例２】
【００５５】
本実施例では、実施例１の図５で説明した、走査型電子顕微鏡システムによる信号変換特性２０を算出するためのデータ取得フローの他の例を説明する。
【００５６】
図１３は、本発明に係る走査型電子顕微鏡システムによる、信号変換特性２０を算出するためのデータ取得フローの例２である。基本的には、図５の信号変換特性２０を算出するためのデータ取得フローと同じであり、ここでは図５と異なる点のみ説明する。
【００５７】
図５のフローにおいては、Ｓ５０１で、信号が飽和しない画像取得条件を決定し入力信号２０１を取得していたが、入力信号２０１は電子線１０２の電流量に比例すると考えられることから、Ｓ１３０１において、電子線１０２の電流量を入力信号２０１として記憶部１３１に保存する点が異なる。
【００５８】
図１４は、本発明に係る走査型電子顕微鏡システムによる、信号変換特性２０を算出するためのデータ取得フローの例３である。基本的には、図５の信号変換特性２０を算出するためのデータ取得フローと同じであり、ここでは図５と異なる点のみ説明する。
【００５９】
図５のフローにおいては、Ｓ５０３で、電子線１０２の電流量を変更することで入力信号２０１の大きさを変化させていたが、本実施例においては、二次電子の収率が異なる材料のサンプルを複数枚用意し、Ｓ１４０１およびＳ１４０２によりサンプルを変更することで、入力信号２０１の大きさを変化させる。尚、二次電子の収率が異なる材料の代わりに、電子線１０２の入射角度に対する傾斜が異なるサンプルを複数枚用意し、サンプルを変更することで入力信号２０１の大きさを変化させてもよい。これは、電子線１０２の入射方向と照射対象の傾斜がなす角度により、二次電子の収率が変化する特性を利用したものである。
【００６０】
また、各サンプルの二次電子の収率もしくは、各サンプルにおける入力信号２０１の大きさがあらかじめわかっている場合には、入力信号２０１取得時の撮像条件決定ステップ（Ｓ５０１）および入力信号取得に関わるステップ（Ｓ５０４からＳ５０７）を省略し、既知の入力信号を代用することも可能である。
【００６１】
図１５は、本発明に係る走査型電子顕微鏡システムによる、信号変換特性２０を算出するためのデータ取得フローの例４である。基本的には、図５の信号変換特性２０を算出するためのデータ取得フローと同じであり、ここでは図５と異なる点のみ説明する。
【００６２】
図５のフローにおいては、Ｓ５０３で、電子線１０２の電流量を変更することで入力信号２０１の大きさを変化させていたが、本実施例では、パターンつきサンプルを使用することで、異なる入力信号２０１の大きさを得る。図１４の実施例でも述べたとおり、電子線の入射方向と照射対象の傾斜がなす角度により二次電子の収率が変化するため、凹凸のあるパターンの照射位置により入力信号２０１の大きさが異なる。
【００６３】
そこで、Ｓ１５０１においてパターンつきのサンプルウエハをロードし、Ｓ５０４およびＳ５０５で入力信号取得時の撮像条件で対象パターンの画像を取得する。Ｓ１５０２で、撮像画像の位置座標ｉにおける入力信号Ｂ（ｉ）２０１を算出する。さらに、Ｓ５０９においてｊ番目の出力信号２０２取得時の撮像条件で、Ｓ５０５と同じパターンの画像を取得し、Ｓ１５０３において、撮像画像の位置座標ｉにおける出力信号Ｓ（ｉ、ｊ）２０２を算出する。
【００６４】
同一箇所を複数回撮像すると帯電などの影響により信号が変化するため、出力信号２０２取得時には、入力信号２０１取得時に画像を取得した対象パターンと同様の手段で形成された、非同一箇所のパターンの画像を取得するのがよい。この際、撮像位置を変更することで、画像中のパターンの位置がずれることが考えられる。そのため、出力信号２０２の位置座標ｉは、入力信号２０１の位置座標と一致するように補正した値を用いるのがよい。
【００６５】
実施例２で説明した、各々の、走査型電子顕微鏡システムによる信号変換特性２０を算出するためのデータ取得フローにおいて、入力信号２０１の大きさを変化させる手段として、電子線１０２の電流量を変化させることを組み合わせて行ってもよい。
【実施例３】
【００６６】
本実施例では、実施例１とは異なる、図1に示した走査型電子顕微鏡システムによる、信号変換特性２０を算出するためのデータ取得フローおよび寸法計測用画像の信号変換フローの例を説明する。実施例１では、出力信号２０２を、寸法計測用画像撮像時の画像取得条件ごとに取得していたが、信号変換特性２０を算出するためのデータを取得した後に、寸法計測用画像撮像時の撮像条件を決定する場合も考慮し、本実施例では任意の寸法計測用画像撮像時の撮像条件に対応した出力信号２０２を取得し、信号変換特性２０を算出する。
【００６７】
図１６は、本発明に係る走査型電子顕微鏡システムによる、信号変換特性２０を算出するためのデータ取得フローの例である。  基本的には、図５の信号変換特性２０を算出するためのデータ取得フローと同じであり、ここでは図５と異なる点のみ説明する。
【００６８】
図１６のＳ１６０２およびＳ１６０３において、寸法計測対象により変化すると考えられる寸法計測用画像撮像時の画像取得条件として、撮像パラメータｐおよび撮像パラメータｑを設定し、Ｓ５０９において画像を取得する。撮像パラメータｐおよび撮像パラメータｑは、各々、実際に設定される可能性のある範囲を適当に分割して設定する。撮像パラメータｐおよび撮像パラメータｑの具体的な例としては、信号の増幅率やバイアス加算量などが挙げられる。取得された画像より算出した出力信号を、Ｓ（ｉ、ｊ、ｋ）とする。
【００６９】
図１７は、図１６の信号変換特性２０を算出するためのデータ取得フローで取得したデータを用いた、寸法計測用画像の信号変換フローである。
【００７０】
はじめに、寸法計測用画像取得時の画像取得条件を読み込む（Ｓ１７０１）。特に、撮像パラメータｐの値をＰ、撮像パラメータｑの値をＱとする。
【００７１】
次に、信号変換特性２０を算出するためのデータ取得フローで取得した、入力信号Ｂ（ｉ）および出力信号Ｓ（ｉ、ｊ、ｋ）を読み込む（Ｓ１７０２）。
【００７２】
次に、撮像パラメータｐの値がＰ、撮像パラメータｑの値がＱのときの出力信号Ｓ（ｉ、Ｐ、Ｑ）を、出力信号Ｓ（ｉ、ｊ、ｋ）の補間により算出する（Ｓ１７０３）。
【００７３】
以降のステップは、図８のＳ８０３以降と同じであるため、ここでの説明は省略する。
【００７４】
以上のステップにより、寸法計測用画像の信号を変換する。この変換により、任意の撮像条件で取得した寸法計測用画像の画像信号において、入力信号２０１に対する出力信号２０２の非線形性２０３を補正する。
【実施例４】
【００７５】
本実施例では、複数の装置間での信号変換特性２０の違いを補正するだけでなく、信号変換特性２０の経時変化を補正する、走査型電子顕微鏡システムの例を説明する。
【００７６】
本実施例では、実施例１から実施例３の走査型電子顕微鏡システムを用い、実施例１から実施例３の信号変換特性２０を算出するためのデータ取得フローおよび本データを用いた寸法計測用画像の信号変換フローを定期的に実施する。定期的に実施して得られた結果を、時系列と合わせて記憶部１３１に記憶しておく。
【００７７】
記憶した信号変換特性２０を時系列に沿って比較し、変化が所定の大きさよりも大きい場合にはアラームを表示する。
【００７８】
図１８は、信号変換特性２０の算出結果および経時変化を表示するＧＵＩの例１８０である。表示する信号変換特性のデータを選択する信号変換特性データ選択部１８０１や、信号変換特性２０を表示する撮像条件の入力部１８０２、入力した撮像条件における信号変換特性２０のデータの表示部１８０３、信号変換特性２０のテーブルデータ１００を時系列に沿って表示する表示部１８０５などがある。信号変換特性２０のテーブルデータ１００を時系列に沿って表示する表示部１８０５では、時系列に沿って信号変換特性２０の変化が所定の大きさよりも大きい場合に、該当する時系列のデータを色付けするなどを行い、知らせることができる。
尚、ＧＵＩ１８０は、入出力部１３３の出力画面に表示され、ユーザが任意の信号変換特性データを選択したり、撮像条件を入力したりすることができる。
【実施例５】
【００７９】
本実施例では、実施例１から実施例４で説明した、走査型電子顕微鏡システムにおいて、走査型電子顕微鏡本体１０内に専用のサンプルホルダを有する例を説明する。
【００８０】
特に、実施例４のように定期的に信号変換特性２０を算出するためのデータ取得を行う場合には、データ取得の都度、評価用サンプルを用意するのではなく、装置内にサンプルが常設されている方がデータ取得を簡便に行うことができる。本実施例における走査電子顕微鏡本体１０は、図１と同様の構成をしており、走査電子顕微鏡本体１０内にあるテーブル１０８上に、信号量変換特性２０を算出するためのデータ取得に用いる評価用サンプルを取り付ける専用のホルダがついており、評価用サンプルが取り付けられている。
【実施例６】
【００８１】
実施例１から実施例４においては、出力された寸法計測画像の信号を変換するフローにより、入力信号２０１に対する出力信号２０２の非線形性２０３を補正するが、本実施例では寸法計測画像を出力する際に、入力信号２０１に対する出力信号２０２の非線形性２０３を補正する例を説明する。
【００８２】
図１の走査型電子顕微鏡本体１０において、検出器１０９で検出した信号を、信号処理部１１で処理して画像を出力している。この信号処理部１１において、記憶部１３１に保存された信号変換特性２０の算出結果と寸法計測画像の撮像条件に基づき信号変換を行い、信号変換後の画像を出力する。信号変換を画像取得後にＰＣ１３上で実施するのが実施例１から実施例４であり、画像出力前に行うのが本実施例である。
【実施例７】
【００８３】
本実施例では、基準とする一定の範囲の入力信号に対する出力信号の非線形性の装置間差を補正する、寸法計測用途の走査型電子顕微鏡システムの例を説明する。
【００８４】
本実施例の走査型電子顕微鏡システムの構成図の例は、図１と同じであるため、説明は省略する。
【００８５】
本実施例における、図１に示した走査型電子顕微鏡システムによる、一定の範囲の入力信号２０１と出力信号２０２の関係（以下信号変換特性と表記する）２０３の例２０は、図２と同じであるため、説明は省略する。
【００８６】
図１９は、図1に示した走査型電子顕微鏡システムによる、信号変換特性の装置間差を算出するためのデータ取得フローである。
【００８７】
はじめに、出力信号２０２の取得に用いるサンプルウエハを、走査型電子顕微鏡本体１０内のテーブル１０８にロードする（Ｓ１９０１）。本実施例では、ウエハ上にパターンや結晶模様などが存在しない、シリコンなどのベタ膜サンプルを用いる。
【００８８】
次に、画像取得条件のひとつである電子線１０２の電流量を、i番目の値に設定する（Ｓ１９０２）。信号変換特性の装置間差を得るためには、複数の大きさの出力信号２０２を取得する必要がある。本実施例では、信号の大きさを変更する手段として、電子線１０２の電流量を変えて信号を取得する。寸法計測対象から得られる信号を包含する範囲の信号が得られるように、電子線１０２の電流量を変化させることができると望ましい。
【００８９】
次に、電子線１０２の電流量以外の、ｊ番目の出力信号２０２取得時の画像取得条件を設定する（Ｓ１９０３）。出力信号２０２取得時の画像取得条件は、寸法計測用の画像を取得する際の画像取得条件と同じにする。複数の画像取得条件で寸法計測用の画像を取得する場合には、条件ごとに出力信号２０２を取得する。
【００９０】
次に、画像を取得する（Ｓ１９０４）。
【００９１】
次に、得られた複数ピクセルの画像信号の平均値を算出し、出力信号Ｓ（ｉ、ｊ）２０２とする（Ｓ１９０５）。
【００９２】
次に、得られた出力信号Ｓ（ｉ、ｊ）２０２を、記憶部１４で記憶する（Ｓ１９０６）。
【００９３】
出力信号２０２取得時の画像取得条件の番号ｊが最後になるまで、Ｓ１９０３からＳ１９０６を繰り返す。
【００９４】
また、電子線１０２の電流量の番号iが最後になるまで、Ｓ１９０２からＳ１９０７を繰り返す（Ｓ１９０８）。
【００９５】
以上のステップにより、電子線１０２の電流量iにおける、出力信号Ｓ（ｉ、ｊ）２０２のデータ取得が終了する。
【００９６】
図１９のフローによる信号変換特性の装置間差を算出するためのデータ取得を、装置間差を補正する対象である複数の装置で実行し、各装置で得られた結果を装置識別情報と共に記憶部１４に記憶する。
【００９７】
図２０は、図１９の信号変換特性を算出するためのデータ取得フローで取得した複数の装置の信号変換特性を算出するためのデータを用いた、寸法計測用画像の信号変換フローである。
【００９８】
はじめに、信号変換特性の装置間差を補正する対象の装置で取得した、寸法計測用画像取得時の画像取得条件を読み込む（Ｓ２００１）。
【００９９】
次に、基準とする装置において、信号変換特性を算出するためのデータ取得フローで取得した出力信号Ｓ（ｉ、ｊ）２０２のうち、対象となる画像取得条件（ｊ＝Ｊ）で取得した結果を読み込む。この結果を基準信号Ｂ（ｉ、Ｊ）とする（Ｓ２００２）。
【０１００】
次に、信号変換特性の装置間差を補正する対象の装置において、信号変換特性を算出するためのデータ取得フローで取得した出力信号Ｓ（ｉ、ｊ）２０２のうち、対象となる画像取得条件（ｊ＝Ｊ）で取得した結果を読み込む。この結果をＳ（ｉ、Ｊ）とする（Ｓ２００３）。図２１は、基準信号Ｂ（ｉ、Ｊ）２１０１と信号変換特性の装置間差を補正する対象の装置の出力信号Ｓ（ｉ、Ｊ）２０２の関係２１０３を図示したものである。
【０１０１】
次に、図２１に示した関係を、関数Ｂ＝ｆ（Ｓ）で近似する（Ｓ２００４）。図２１は、実験的に取得した走査型電子顕微鏡システムによる信号変換特性の装置間差の例である。近似に用いる関数の例として、シグモイド関数や二次関数がある。図２１に、近似関数２１０４を併せて示す。
【０１０２】
次に、算出した近似関数Ｂ＝ｆ（Ｓ）から、各出力画像信号Ｓにおける基準信号Ｂ２１０１を算出し、図２２に示すテーブルデータ２２０を作成する（Ｓ２００５）。図２２は、本発明に係る評価装置の画像信号に対応する基準装置の画像信号のテーブルの例である。
【０１０３】
次に、信号変換特性の装置間差を補正する対象とする装置で取得した、寸法計測用の画像信号Ｓを、作成したテーブルデータ２２０に従い、基準信号Ｂ２１０１に変換する（Ｓ２００６）。
【０１０４】
以上のステップにより、信号変換特性の装置間差を補正する対象とする装置で取得した寸法計測用画像の信号を変換する。この変換により、信号変換特性の装置間差を補正する対象とする装置で取得した寸法計測用の画像信号２０２は、基準装置の出力信号２１０１に対する非線形性２１０３が補正された信号となる。
【０１０５】
本実施例における、信号変換特性の装置間差を算出するためのデータ取得に必要な、ＧＵＩの例は、図１１と同じであるため、説明は省略する。
【０１０６】
図２３は、信号変換特性の装置間差の算出結果を表示する、ＧＵＩの例２３０である。表示する信号変換特性のデータを選択する選択部２３０１や、取得した、基準信号２１０１と、信号変換特性の装置間差を補正する対象装置の出力信号２０２の関係２１０３および、これを関数近似した結果２１０４を図示する部分２３０２や、図２２に示したテーブルデータ２２０の表示部２３０３がある。
【０１０７】
補正後の寸法計測対象の画像信号の装置間差は補正前と比べて小さくなり、その結果、これらの画像信号を用いて寸法計測を行った結果も、装置間差が小さくなる。また、一台の装置に複数の検出器１０９がある場合には、検出器１０９ごとに図１９による信号変換特性を算出するためのデータ取得を行い、検出器１０９ごとに図２０による寸法計測用画像の信号変換を行うことで、検出器１０９間の画像信号の差、および寸法計測結果の差を小さくすることができる。
尚、ＧＵＩ１１０は、入出力部１３３の出力画面に表示され、ユーザが任意の画像取得条件を選択したり、データ取得実行を決定したりすることができる。
【実施例８】
【０１０８】
実施例１に対する実施例２から実施例６の変形例は、実施例７においても同様に変形可能である。
【実施例９】
【０１０９】
本実施例では、既存の走査型電子顕微鏡本体１０および信号処理部１１および全体制御部１２に接続する、入力信号２０１に対する出力信号２０２の非線形性２０３およびその装置間差１９０４を補正するためのシステムの例を説明する。
【０１１０】
システム構成は、図１に示したＰＣ部１３に相当し、既存の走査型電子顕微鏡システムにあとから接続することで実現できる。
【０１１１】
本システムにおける処理内容については、実施例１から実施例８にて説明したとおりであり、詳細の説明は省略する。
【実施例１０】
【０１１２】
本実施例では、既存の走査型電子顕微鏡本体１０に接続されたＰＣ１３にインストールする、入力信号２０１に対する出力信号２０２の非線形性２０３およびその装置間差１９０４を補正するための実行プログラムの例を説明する。
【０１１３】
実行プログラムによる処理内容については、実施例１から実施例８にて説明したとおりであり、詳細な説明は省略する。
【実施例１１】
【０１１４】
実施例１から実施例１０においては、寸法計測を目的とする走査型電子顕微鏡装置に限定した例を説明したが、同様の構成を有する装置、システム、およびプログラムであれば、寸法計測を目的とすることに限定しない。また、走査型電子顕微鏡装置に限定せず、透過型電子顕微鏡装置や他の荷電粒子顕微鏡装置であってもよい。
【０１１５】
以上説明したように、本発明によれば、基準とする一定の範囲の入力信号に対して、各々の装置により得られる出力信号（画像の質）を定量的に評価し、その結果を用いて、各々の装置から出力される信号の大きさが同等となるように調整する、信号量の装置間差を補正する機能を提供することができる。
【図１】
2014060087.tif 000003
【図２】
2014060087.tif 000004
【図３】
2014060087.tif 000005
【図４】
2014060087.tif 000006
【図５】
2014060087.tif 000007
【図６】
2014060087.tif 000008
【図７】
2014060087.tif 000009
【図８】
2014060087.tif 000010
【図９】
2014060087.tif 000011
【図１０】
2014060087.tif 000012
【図１１】
2014060087.tif 000013
【図１２】
2014060087.tif 000014
【図１３】
2014060087.tif 000015
【図１４】
2014060087.tif 000016
【図１５】
2014060087.tif 000017
【図１６】
2014060087.tif 000018
【図１７】
2014060087.tif 000019
【図１８】
2014060087.tif 000020
【図１９】
2014060087.tif 000021
【図２０】
2014060087.tif 000022
【図２１】
2014060087.tif 000023
【図２２】
2014060087.tif 000024
【図２３】
2014060087.tif 000025